(57)【特許請求の範囲】
【請求項１】
（ａ）第１基板の表面に実装される第１コネクタと、第２基板の表面に実装され、前記第１コネクタと嵌合する第２コネクタとから成る基板対基板コネクタであって、
（ｂ）前記第１コネクタは、平板状の本体部、該本体部の嵌合面に配設された第１導体、及び、該第１導体の表面から突出する雄端子を含み、
（ｃ）前記第２コネクタは、板状金属から形成され、前記雄端子を弾性的に挟持する雌端子を含む平板状の部材であり、
（ｄ）前記雌端子は、板状金属から成る第２導体をパターニングすることによって形成された第１端子部材、第２端子部材及び第３端子部材を含み、前記第１端子部材及び第２端子部材は、前記第２導体における雌端子の周囲の部分に接続されている基部と、弾性的に変位する接触部と、該接触部と前記基部とを連結するビーム部とを含み、前記第１端子部材及び第２端子部材の接触部と第３端子部材との間隔は、前記雄端子の断面の径又は幅寸法より小さく、前記雌端子が雄端子と係合すると、前記第１端子部材及び第２端子部材の接触部と第３端子部材とが前記雄端子の側面部を弾性的に挟持し、
（ｅ）前記第１コネクタ及び第２コネクタを、相互の嵌合面同士を対向させた後、該嵌合面と平行な方向にスライドさせることによって、前記第１コネクタ及び第２コネクタの嵌合が完了するとともに、前記雌端子の第１端子部材及び第２端子部材の接触部と第３端子部材とが前記雄端子の側面部を弾性的に挟持して前記雄端子が前記雌端子によって挟持されることにより前記雄端子と前記雌端子との位置決めが行われることを特徴とする基板対基板コネクタ。
【請求項２】
前記第２コネクタは、前記雄端子が前記雌端子によって挟持される際に発生するクリック感を補完するクリック感補完用部材を更に含み、
該クリック感補完用部材は、板状金属から形成され、互いに対向する一対の第１腕部、第２腕部、並びに、前記第１腕部及び第２腕部の先端を接続する凸部を含み、
前記第１腕部同士の間に進入した前記雄端子が、前記凸部同士の間を通過して前記第２腕部同士の間に移動するときにクリック感が発生する請求項１に記載の基板対基板コネクタ。
【請求項３】
前記第１コネクタの本体部は、その長手方向両端から外方に延出する庇部を含み、
前記第２コネクタは、前記第１コネクタの本体部を収容する接続凹部と、該接続凹部の周囲を確定する枠体とを含み、
該枠体は、その長手方向両端に位置する縦枠部の内側端縁から内方に延出する庇部を含み、
前記第１コネクタの本体部が前記第２コネクタの接続凹部に収容されると、前記本体部の庇部と前記枠体の庇部とが係合する請求項１に記載の基板対基板コネクタ。
【請求項４】
前記第１コネクタの本体部は、その長手方向両端から外方に延出する庇部を含み、
前記第２コネクタは、前記第１コネクタの本体部を収容する接続凹部と、該接続凹部の周囲を確定する枠体とを含み、
該枠体は、その長手方向両端に位置する縦枠部に形成されたばね部を含み、
前記第１コネクタの本体部が前記第２コネクタの接続凹部に収容されると、前記本体部の庇部と前記枠体のばね部とが係合する請求項１に記載の基板対基板コネクタ。
【発明の詳細な説明】
【技術分野】
【０００１】
本発明は、基板対基板コネクタに関するものである。
【背景技術】
【０００２】
従来、一対の平行な回路基板同士を電気的に接続するために、基板対基板コネクタが使用されている。このような基板対基板コネクタは、一対の回路基板における相互に対向する面の各々に取付けられ、互いに嵌（かん）合して導通するようになっている（例えば、特許文献１参照。）。
【０００３】
図１８は従来の基板対基板コネクタを示す断面図である。
【０００４】
図において、８１１は第１回路基板８９１に実装された第１コネクタのハウジングとしての第１ハウジングであり、９１１は第２回路基板９９１に実装された第２コネクタのハウジングとしての第２ハウジングである。第１コネクタと第２コネクタとが嵌合することによって第１回路基板８９１と第２回路基板９９１とが電気的に接続される。
【０００５】
前記第１ハウジング８１１は、凹溝部８１２を備え、該凹溝部８１２内に第１端子８６１が装填（てん）されている。各第１端子８６１は、第１回路基板８９１の接続パッドにはんだ付されるテール部８６２と、第２コネクタの第２端子９６１と接触する接触部８６５とを備える。
【０００６】
また、前記第２ハウジング９１１には、第２端子９６１が装填されている。各第２端子９６１は、第２回路基板９９１の接続パッドにはんだ付されるテール部９６２と、第１コネクタの第１端子８６１と接触する接触部９６５とを備える。
【０００７】
そして、第１コネクタと第２コネクタとを嵌合させると、第１端子８６１の接触部８６５と第２端子９６１の接触部９６５とが互いに接触し、第１端子８６１と第２端子９６１とが互いに係合する。これにより、第１端子８６１と第２端子９６１とが電気的に接続される。また、第１端子８６１と第２端子９６１とが係合する際に、クリック感を発生するので、オペレータは第１コネクタと第２コネクタとの嵌合が完了したことを認識することができる。さらに、第１端子８６１と第２端子９６１とがロックされた状態となり、第１コネクタと第２コネクタとの嵌合が確実になる。
【先行技術文献】
【特許文献】
【０００８】
【特許文献１】特開２００９−１９９８２３号公報
【発明の概要】
【発明が解決しようとする課題】
【０００９】
しかしながら、前記従来の基板対基板コネクタにおいては、第１ハウジング８１１の凹溝部８１２内に第２ハウジング９１１が嵌（はま）り込むようになっているので、第１コネクタ全体の高さ方向の寸法及び第２コネクタ全体の高さ方向の寸法が大きくなってしまう。また、第１端子８６１と第２端子９６１とが係合する際に、クリック感を発生するが、クリック感が弱く、オペレータが知覚することができないことがある。
【００１０】
本発明は、前記従来の基板対基板コネクタの問題点を解決して、第１コネクタが突出する雄端子を備え、第２コネクタが、板状金属から形成され、前記雄端子を弾性的に挟持する雌端子を備えるようにして、高さ方向の寸法を小さくすることができるとともに、雄端子と雌端子との位置決めが確実で接触を安定的に維持することができ、適切なクリック感を発生し、製造が容易で、構成が簡素でコストが低く、小型でありながら、信頼性の高い基板対基板コネクタを提供することを目的とする。
【課題を解決するための手段】
【００１１】
そのために、本発明の基板対基板コネクタにおいては、第１基板の表面に実装される第１コネクタと、第２基板の表面に実装され、前記第１コネクタと嵌合する第２コネクタとから成る基板対基板コネクタであって、前記第１コネクタは、平板状の本体部、該本体部の嵌合面に配設された第１導体、及び、該第１導体の表面から突出する雄端子を含み、前記第２コネクタは、板状金属から形成され、前記雄端子を弾性的に挟持する雌端子を含む平板状の部材であり、前記雌端子は、板状金属から成る第２導体をパターニングすることによって形成された第１端子部材、第２端子部材及び第３端子部材を含み、前記第１端子部材及び第２端子部材は、前記第２導体における雌端子の周囲の部分に接続されている基部と、弾性的に変位する接触部と、該接触部と前記基部とを連結するビーム部とを含み、前記第１端子部材及び第２端子部材の接触部と第３端子部材との間隔は、前記雄端子の断面の径又は幅寸法より小さく、前記雌端子が雄端子と係合すると、前記第１端子部材及び第２端子部材の接触部と第３端子部材とが前記雄端子の側面部を弾性的に挟持し、前記第１コネクタ及び第２コネクタを、相互の嵌合面同士を対向させた後、該嵌合面と平行な方向にスライドさせることによって、前記第１コネクタ及び第２コネクタの嵌合が完了するとともに、前記雌端子の第１端子部材及び第２端子部材の接触部と第３端子部材とが前記雄端子の側面部を弾性的に挟持して前記雄端子が前記雌端子によって挟持されることにより前記雄端子と前記雌端子との位置決めが行われる。
【００１５】
本発明の更に他の基板対基板コネクタにおいては、さらに、前記第２コネクタは、前記雄端子が前記雌端子によって挟持される際に発生するクリック感を補完するクリック感補完用部材を更に含み、該クリック感補完用部材は、板状金属から形成され、互いに対向する一対の第１腕部、第２腕部、並びに、前記第１腕部及び第２腕部の先端を接続する凸部を含み、前記第１腕部同士の間に進入した前記雄端子が、前記凸部同士の間を通過して前記第２腕部同士の間に移動するときにクリック感が発生する。
【００１６】
本発明の更に他の基板対基板コネクタにおいては、さらに、前記第１コネクタの本体部は、その長手方向両端から外方に延出する庇（ひさし）部を含み、前記第２コネクタは、前記第１コネクタの本体部を収容する接続凹部と、該接続凹部の周囲を確定する枠体とを含み、該枠体は、その長手方向両端に位置する縦枠部の内側端縁から内方に延出する庇部を含み、前記第１コネクタの本体部が前記第２コネクタの接続凹部に収容されると、前記本体部の庇部と前記枠体の庇部とが係合する。
【００１７】
本発明の更に他の基板対基板コネクタにおいては、さらに、前記第１コネクタの本体部は、その長手方向両端から外方に延出する庇部を含み、前記第２コネクタは、前記第１コネクタの本体部を収容する接続凹部と、該接続凹部の周囲を確定する枠体とを含み、該枠体は、その長手方向両端に位置する縦枠部に形成されたばね部を含み、前記第１コネクタの本体部が前記第２コネクタの接続凹部に収容されると、前記本体部の庇部と前記枠体のばね部とが係合する。
【発明の効果】
【００１８】
本発明によれば、基板対基板コネクタは、第１コネクタが突出する雄端子を備え、第２コネクタが、板状金属から形成され、前記雄端子を弾性的に挟持する雌端子を備える。これにより、第１コネクタ及び第２コネクタの高さ方向の寸法を小さくすることができるとともに、雄端子と雌端子との位置決めが確実で接触を安定的に維持することができる。また、適切なクリック感を発生するので、嵌合完了を容易に知覚することができる。さらに、製造が容易で、構成が簡素でコストが低く、小型でありながら、信頼性を高めることができる。
【図面の簡単な説明】
【００１９】
【図１】本発明の第１の実施の形態における第１コネクタの層構造を示す分解図である。
【図２】本発明の第１の実施の形態における第１コネクタの三面図であって、（ａ）は上面図、（ｂ）は正面図、（ｃ）は側面図である。
【図３】本発明の第１の実施の形態における第１コネクタの平面図であって嵌合面を示す図である。
【図４】本発明の第１の実施の形態における第２コネクタの層構造を示す分解図である。
【図５】本発明の第１の実施の形態における第２コネクタの三面図であって、（ａ）は上面図、（ｂ）は正面図、（ｃ）は側面図である。
【図６】本発明の第１の実施の形態における第２コネクタの平面図であって実装面を示す図である。
【図７】本発明の第１の実施の形態における第２コネクタの要部拡大図であって図５（ａ）のＡ部拡大図である。
【図８】本発明の第１の実施の形態における第１コネクタと第２コネクタとの嵌合工程を示す図であって、（ａ）〜（ｃ）は各工程を示す図である。
【図９】本発明の第１の実施の形態における第１コネクタと第２コネクタとの嵌合が完了した状態の三面図であって、（ａ）は第２コネクタの嵌合面側から観た平面図、（ｂ）は正面図、（ｃ）は側面図である。
【図１０】本発明の第１の実施の形態における第１コネクタと第２コネクタとの嵌合が完了した状態の二面図であって、（ａ）は図９（ａ）におけるＤ−Ｄ矢視断面図、（ｂ）は第２コネクタの実装面側から観た平面図である。
【図１１】本発明の第２の実施の形態における第１コネクタの三面図であって、（ａ）は上面図、（ｂ）は正面図、（ｃ）は側面図である。
【図１２】本発明の第２の実施の形態における第２コネクタの三面図であって、（ａ）は上面図、（ｂ）は正面図、（ｃ）は側面図である。
【図１３】本発明の第２の実施の形態における第１コネクタと第２コネクタとの嵌合工程での二面図であって、（ａ）は第２コネクタの嵌合面側から観た平面図、（ｂ）は（ａ）におけるＥ−Ｅ矢視断面図である。
【図１４】本発明の第２の実施の形態における第１コネクタと第２コネクタとの嵌合工程での要部拡大図であって、（ａ）は図１３（ｂ）におけるＦ部拡大図、（ｂ）は（ａ）に対応する斜視図、（ｃ）は第１コネクタの本体部が第２コネクタの接続凹部に収容された状態の（ａ）に対応する図である。
【図１５】本発明の第３の実施の形態における第２コネクタの三面図であって、（ａ）は上面図、（ｂ）は正面図、（ｃ）は側面図である。
【図１６】本発明の第３の実施の形態における第１コネクタと第２コネクタとの嵌合工程での二面図であって、（ａ）は第２コネクタの嵌合面側から観た平面図、（ｂ）は（ａ）におけるＧ−Ｇ矢視断面図である。
【図１７】本発明の第３の実施の形態における第１コネクタと第２コネクタとの嵌合工程での要部拡大図であって、（ａ）は図１６（ｂ）におけるＨ部拡大図、（ｂ）は（ａ）に対応する斜視図、（ｃ）は第１コネクタの本体部が第２コネクタの接続凹部に収容された状態の（ａ）に対応する図である。
【図１８】従来の基板対基板コネクタを示す断面図である。
【発明を実施するための形態】
【００２０】
以下、本発明の実施の形態について図面を参照しながら詳細に説明する。
【００２１】
図１は本発明の第１の実施の形態における第１コネクタの層構造を示す分解図、図２は本発明の第１の実施の形態における第１コネクタの三面図、図３は本発明の第１の実施の形態における第１コネクタの平面図であって嵌合面を示す図である。なお、図２において、（ａ）は上面図、（ｂ）は正面図、（ｃ）は側面図である。
【００２２】
図において、１は本実施の形態における基板対基板コネクタの一方である第１コネクタとしての雄コネクタであって、実装部材としての後述される第１基板９１の表面に実装される表面実装型のコネクタであり、後述される相手方コネクタである第２コネクタとしての雌コネクタ１０１と電気的に接続される。該雌コネクタ１０１は、実装部材としての後述される第２基板１９１の表面に実装される表面実装型のコネクタである。
【００２３】
すなわち、本実施の形態における基板対基板コネクタは、前記雄コネクタ１及び雌コネクタ１０１を含み、第１基板９１及び第２基板１９１を電気的に接続する。なお、前記第１基板９１及び第２基板１９１は、例えば、電子機器等に使用されるプリント回路基板、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等であるが、いかなる種類の基板であってもよい。
【００２４】
本実施の形態において、雄コネクタ１、雌コネクタ１０１及びその他の部材に含まれる各部の構成及び動作を説明するために使用される上、下、左、右、前、後等の方向を示す表現は、絶対的なものでなく相対的なものであり、雄コネクタ１、雌コネクタ１０１及びその他の部材に含まれる各部が図に示される姿勢である場合に適切であるが、雄コネクタ１、雌コネクタ１０１及びその他の部材に含まれる各部の姿勢が変化した場合には、姿勢の変化に応じて変更して解釈されるべきものである。
【００２５】
そして、前記雄コネクタ１は、平面形状が矩（く）形の平板状の本体部１１を有する。該本体部１１の長手方向（図２（ａ）における横方向）両端は、幅方向（図２（ａ）における縦方向）に延在する本体端部１１ｃとして機能し、該本体端部１１ｃには、切欠部１１ｄが含まれる。また、前記本体部１１は、実装面側（図１における上側）から平坦（たん）な薄板部材である補強板部としての補強層１６、細長い帯状の形状を備える絶縁性の薄板部材である第１基板部である雄基板部としてのベースフィルム１５、及び、該ベースフィルム１５の一面（図１における下面）に並列に配設された複数本の導電線として機能する第１導体である雄導体としての導体パターン５１を有する。なお、前記本体部１１は、厚さ方向の寸法が約０．３〜０．５〔ｍｍ〕程度であるが、その寸法は適宜変更することができる。
【００２６】
前記ベースフィルム１５は、例えば、ポリイミド等の樹脂から成るが、絶縁性を備えるものであれば、いかなる種類の材質であってもよい。また、前記ベースフィルム１５の他面（図１における上面）には、平坦な薄板部材である補強板部としての補強層１６が配設されている。該補強層１６は、例えば、ステンレス鋼等の金属から成るが、その材質は、樹脂であってもよいし、ガラス繊維、炭素繊維等を含む複合材であってもよいし、いかなる種類のものであってもよい。また、前記ベースフィルム１５の長手方向（図２（ａ）における横方向）両端は、幅方向（図２（ａ）における縦方向）に延在するベースフィルム端部１５ｃとして機能し、該ベースフィルム端部１５ｃには、切欠部１５ｄが含まれる。同様に、補強層１６の長手方向両端は、幅方向に延在する補強層端部１６ｃとして機能し、該補強層端部１６ｃには、切欠部１６ｄが含まれる。前記本体部１１の切欠部１１ｄは、ベースフィルム１５の切欠部１５ｄ及び補強層１６の切欠部１６ｄから成る。
【００２７】
そして、前記導体パターン５１は、例えば、あらかじめベースフィルム１５の一面に貼（てん）付された厚さが数〔μｍ〕〜数１０〔μｍ〕の銅箔（はく）にエッチング加工等を施してパターニングすることによって形成されたものであって、雄コネクタ１の前後方向（図３における上下方向）に延在し、かつ、互いに平行に並んで配設され、隣接する導体パターン５１同士は、パターン分離空間５２によって分離されている。
【００２８】
各導体パターン５１は、本体部１１の嵌合面に露出するとともに、雄端子としての突出端子５３を１本ずつ備える。なお、図に示される例において、導体パターン５１及び突出端子５３は、雄コネクタ１の幅方向に延在する列を２本形成するように、所定のピッチ、例えば、０．４〔ｍｍ〕程度で、多数本が互いに平行に並んで配設されているが、導体パターン５１及び突出端子５３の数、ピッチその他配列の態様は、図に示される例に限定されるものではなく、任意に変更することができる。
【００２９】
前記突出端子５３の各々は、導体パターン５１の表面から突出する部材であり、例えば、フォトリソグラフィ技術を利用したエッチング等の方法によって、導体パターン５１と一体的に形成されている。なお、前記突出端子５３の高さ方向の寸法は、例えば、０．１〜０．３〔ｍｍ〕程度であるが、適宜変更することができる。
【００３０】
図２に示されるように、前記突出端子５３は、円柱状の形状を備えるが、例えば、横断面が四角形、五角形、六角形等の角柱状の形状であってもよいし、横断面が円形や楕（だ）円形の柱状の形状であってもよいし、任意に変更することができる。さらに、突出端子５３は、その先端部の径が他の部分より大きくなるように形成されてもよい。
【００３１】
なお、前記ベースフィルム１５において、長手方向に延在し、対外に対向する前側縁部及び後側縁部には、複数の凹部１５ａが形成され、隣接する凹部１５ａ同士の間の部分が櫛（くし）歯のような凸部１５ｂとなっている。図１に示される例においては、右上側（図３における上側）が前側であり、左下側（図３における下側）が後側である。そして、各凹部１５ａの位置は、対応する導体パターン５１の位置に適合する。これにより、図２（ａ）に示されるように、本体部１１の実装面には、各導体パターン５１の裏面の一部分が露出する。該露出した部分は、導体パターン５１において凹部１５ａに対応する部分であり、テール部５８として機能し、図示されない第１基板９１の表面に形成された接続パッドにはんだ付等によって接続される。これにより、雄コネクタ１は第１基板９１に取付けられ、かつ、導体パターン５１及び突出端子５３は第１基板９１の接続パッドと電気的に接続された状態となる。
【００３２】
また、前記導体パターン５１の側方には、係合凸部として機能する補助金具５６が配設されている。該補助金具５６は、前記導体パターン５１とともに、あらかじめベースフィルム１５の一面に貼付された厚さが数〔μｍ〕〜数１０〔μｍ〕の銅箔にエッチング加工等を施してパターニングすることによって形成されたものであって、本体部１１の前後方向に延在し、導体パターン５１から分離して本体部１１の長手方向両端に配設されている。
【００３３】
本体部１１の実装面においては、切欠部１１ｄから前記補助金具５６の裏面の一部分が露出し、該露出した部分は、第１基板９１の表面に形成された固定用パッドにはんだ付等によって接続される。これにより、雄コネクタ１は第１基板９１により強固に取付けられる。また、前記補助金具５６は、後述される雌コネクタ１０１の係合凹部１５６ａ内に進入し、雄コネクタ１と雌コネクタ１０１との位置決めを行う。
【００３４】
次に、雌コネクタ１０１の構成について説明する。
【００３５】
図４は本発明の第１の実施の形態における第２コネクタの層構造を示す分解図、図５は本発明の第１の実施の形態における第２コネクタの三面図、図６は本発明の第１の実施の形態における第２コネクタの平面図であって実装面を示す図、図７は本発明の第１の実施の形態における第２コネクタの要部拡大図であって図５（ａ）のＡ部拡大図である。なお、図５において、（ａ）は上面図、（ｂ）は正面図、（ｃ）は側面図である。
【００３６】
本実施の形態において、雌コネクタ１０１は、基板対基板コネクタの他方としての第２コネクタであって、矩形の平面形状を備え、前記第１コネクタとしての雄コネクタ１と電気的に接続されるとともに、プリント回路基板、フレキシブル回路基板等の後述される第２基板１９１の表面に実装される。この場合、前記雌コネクタ１０１は、平板状であり、その裏面が第２基板１９１の表面と対向するように実装され、第２基板１９１の導電トレースと電気的に接続される。
【００３７】
前記雌コネクタ１０１は、表面形状が略ロ字状の平板状の枠体１１１を有する。そして、該枠体１１１は、雌コネクタ１０１の長手方向（図５（ａ）における横方向）に延在する横枠部１１１ａ、及び、該横枠部１１１ａの両端を連結する縦枠部１１１ｂを備える。なお、該縦枠部１１１ｂの中間部分には、雄コネクタ１の補助金具５６を含む本体端部１１ｃと係合する係合凹部１５６ａが形成されている。
【００３８】
また、前記雌コネクタ１０１は、例えば、枠体１１１の幅方向の寸法が約１１〜１６〔ｍｍ〕、枠体１１１の前後方向（図５（ａ）における上下方向）の寸法が約５〜７〔ｍｍ〕、枠体１１１の厚さ方向の寸法が約０．３〜０．５〔ｍｍ〕程度の寸法の平板状の部材であるが、その寸法は適宜変更することができる。
【００３９】
そして、前記枠体１１１によって周囲を画定された矩形の平面形状を備える扁（へん）平な凹部は、雄コネクタ１の本体部１１を収容する接続凹部１１４である。なお、本実施の形態においては、前記本体部１１の本体端部１１ｃを除く部分が前記接続凹部１１４に収容される。該接続凹部１１４の底部１１４ａは、実装面側（図４における下側）から補強層１１８、ベースフィルム１１５及び導体パターン１５０の順に積層された層構造を備える平板状の部材である。前記ベースフィルム１１５は、例えば、ポリイミド等の樹脂から成るが、絶縁性を備えるものであれば、いかなる種類の材質であってもよい。また、前記補強層１１８は、例えば、ステンレス鋼等の金属から成るが、その材質は、樹脂であってもよいし、ガラス繊維、炭素繊維等を含む複合材であってもよいし、いかなる種類のものであってもよい。
【００４０】
前記導体パターン１５０は、複数本の導電線として機能する第２導体としての雌導体１５１を含み、例えば、厚さが数〔μｍ〕〜数１０〔μｍ〕のばね性を備える銅箔にエッチング加工等を施してパターニングすることによって形成されたものである。また、前記導体パターン１５０は、嵌合保持部材として機能する補助導体１５２をも含んでいる。該補助導体１５２は、前記雌導体１５１と同様に、ばね性を備える銅箔にエッチング加工等を施してパターニングすることによって形成されたものである。
【００４１】
図に示される例において、導体パターン１５０は、雌コネクタ１０１の前後方向（図５（ａ）における上下方向）に延在し、かつ、互いに平行に並んで配設され、隣接する導体パターン１５０同士は、パターン分離空間１５０ａによって分離されている。なお、図に示される例において、導体パターン１５０は、雌コネクタ１０１の幅方向に延在する列を２本形成するように、所定のピッチ、例えば、０．４〔ｍｍ〕程度で、多数本が互いに平行に並んで配設されているが、導体パターン１５０の数、ピッチその他配列の態様は、図に示される例に限定されるものではなく、任意に変更することができる。
【００４２】
また、図に示される例において、前記補助導体１５２は、長手方向の両端及び中央部近傍に、合計４つ配設されている。なお、補助導体１５２の配設されている位置には雌導体１５１が存在しない。つまり、図に示される例においては、４つの雌導体１５１が補助導体１５２によって置換えられている。
【００４３】
なお、前記ベースフィルム１１５において、長手方向に延在し、対外に対向する前側縁部及び後側縁部には、複数の凹部１１５ａが形成され、隣接する凹部１１５ａ同士の間の部分が櫛歯のような凸部１１５ｂとなっている。図４に示される例においては、左下側（図６における下側）が前側であり、右上側（図６における上側）が後側である。そして、各凹部１１５ａの位置は、対応する雌導体１５１の位置に適合する。これにより、図６に示されるように、雌コネクタ１０１の実装面には、各雌導体１５１の裏面の一部分が露出する。該露出した部分は、雌導体１５１において凹部１１５ａに対応する部分であり、テール部１５８として機能し、図示されない第２基板１９１の表面に形成された接続パッドにはんだ付等によって接続される。これにより、雌コネクタ１０１は第２基板１９１に取付けられ、かつ、雌導体１５１は第２基板１９１の接続パッドと電気的に接続された状態となる。なお、補助導体１５２に対応する位置には、凹部１１５ａが形成されておらず、前記凸部１１５ｂより幅広の幅広凸部１１５ｅが形成されている。そのため、補助導体１５２の裏面には、前記テール部１５８に該当する部分が存在しない。
【００４４】
また、前記導体パターン１５０の側方には、係合凹部１５６ａの底部として機能する補助金具１５６が配設されている。該補助金具１５６は、前記導体パターン１５０とともに、ばね性を備える銅箔にエッチング加工等を施してパターニングすることによって形成されたものであって、雌コネクタ１０１の前後方向に延在し、導体パターン１５０から分離して雌コネクタ１０１の長手方向両端に配設されている。雌コネクタ１０１の実装面には、前記補助金具１５６の裏面の一部分が露出し、該露出した部分は、図示されない第２基板１９１の表面に形成された固定用パッドにはんだ付等によって接続される。これにより、雌コネクタ１０１は第２基板１９１により強固に取付けられる。
【００４５】
前記雌導体１５１における接続凹部１１４の底部１１４ａに対応する部分には、雌端子としての受容端子１５３が配設されている。同様に、前記補助導体１５２における接続凹部１１４の底部１１４ａに対応する部分には、クリック感補完用部材としての挟持部１５７が配設されている。前記受容端子１５３及び挟持部１５７は雄コネクタ１の突出端子５３と嵌合する部材であるから、その配列は前記突出端子５３の配列と同様である。そして、突出端子５３の配列の態様が変更された場合には、それに適合するように、受容端子１５３の配列の態様も変更される。さらに、導体パターン１５０も、その配列は雄コネクタ１の導体パターン５１の配列と同様であり、雄コネクタ１の導体パターン５１の配列の態様が変更された場合には、それに適合するように、導体パターン１５０の配列の態様も変更される。
【００４６】
前記受容端子１５３の各々は、導体パターン１５０を厚さ方向に貫通する略矩形の端子収容開口１５４内に収容された部材であり、例えば、フォトリソグラフィ技術を利用したエッチング等の方法によって、導体パターン１５０をパターニングすることにより形成されている。典型的には、導体パターン１５０をパターニングすることによって形成されて残存したパターンが受容端子１５３であり、該受容端子１５３の周囲の材料が除去された部分が端子収容開口１５４である。したがって、受容端子１５３の厚さ寸法は、導体パターン１５０の厚さ寸法と同等である。
【００４７】
また、前記挟持部１５７も、導体パターン１５０を厚さ方向に貫通する略矩形の挟持部収容開口１５９内に収容された部材であり、受容端子１５３と同様に、例えば、フォトリソグラフィ技術を利用したエッチング等の方法によって、導体パターン１５０をパターニングすることにより形成されている。典型的には、導体パターン１５０をパターニングすることによって形成されて残存したパターンが挟持部１５７であり、該挟持部１５７の周囲の材料が除去された部分が挟持部収容開口１５９である。したがって、挟持部１５７の厚さ寸法は、導体パターン１５０の厚さ寸法と同等である。
【００４８】
そして、各受容端子１５３は、第１端子部材としての主腕部１５３ａ、第２端子部材としての補助腕部１５３ｂ、及び、第３端子部材としての突出部１５３ｃを備える。
【００４９】
前記主腕部１５３ａは、主たるばねとして機能する部材であって、端子収容開口１５４の周縁に接続された基部１５３ａ１、該基部１５３ａ１に接続されたビーム部１５３ａ２、及び、該ビーム部１５３ａ２の先端に接続された接触部１５３ａ３を備える。前記ビーム部１５３ａ２は、ばねとして機能する略Ｌ字状の部材であり、前記接触部１５３ａ３は、ビーム部１５３ａ２のばね性によって、雌コネクタ１０１の幅方向、すなわち、端子収容開口１５４の幅方向に弾性的に変位する。
【００５０】
また、前記補助腕部１５３ｂは、突出端子５３の行過ぎを吸収する補助的なばねとして機能する部材であって、端子収容開口１５４の周縁に接続された基部１５３ｂ１、該基部１５３ｂ１に接続されたビーム部１５３ｂ２、及び、該ビーム部１５３ｂ２の先端に接続された接触部１５３ｂ３を備える。前記ビーム部１５３ｂ２は、ばねとして機能する略Ｌ字状の部材であるが、前記主腕部１５３ａのビーム部１５３ａ２よりは短く形成されている。そして、前記接触部１５３ｂ３は、ビーム部１５３ｂ２のばね性によって、雌コネクタ１０１の前後方向、すなわち、端子収容開口１５４の縦方向に弾性的に変位する。
【００５１】
さらに、前記突出部１５３ｃは、端子収容開口１５４の縦方向に延在する周縁の一方から対向する周縁の方向に突出するように形成され、突出端子５３の位置決めを行う機能を発揮する部材である。前記端子収容開口１５４の縦方向に関する突出部１５３ｃの位置は、主腕部１５３ａの接触部１５３ａ３と補助腕部１５３ｂの接触部１５３ｂ３との間の位置に概略対応する。
【００５２】
また、前記端子収容開口１５４は、受容端子１５３の外側の外側開口１５４ｂ、並びに、受容端子１５３の内側であって主腕部１５３ａの内側に形成された開口としての主内側開口１５４ａ、補助腕部１５３ｂの内側に形成された開口としての補助内側開口１５４ｄ、及び、主腕部１５３ａの接触部１５３ａ３と補助腕部１５３ｂの接触部１５３ｂ３と突出部１５３ｃとが周囲に位置する位置決め開口１５４ｃを含んでいる。前記主内側開口１５４ａは、受容端子１５３が雄コネクタ１の突出端子５３と嵌合する際に、該突出端子５３が進入して収容される部分であり、前記補助内側開口１５４ｄは、前記補助腕部１５３ｂのビーム部１５３ｂ２及び接触部１５３ｂ３の変位を許容する部分であり、前記位置決め開口１５４ｃは、嵌合完了時に突出端子５３が位置する部分である。
【００５３】
なお、前記主内側開口１５４ａは、大きな面積を備え、典型的には、その幅寸法が突出端子５３の先端部の幅寸法より大きく、また、その上下方向の寸法も突出端子５３の先端部の上下方向の寸法より大きい。そのため、突出端子５３は、主内側開口１５４ａ内にスムーズに進入することができる。一方、位置決め開口１５４ｃは、狭い空間であり、典型的には、主腕部１５３ａの接触部１５３ａ３と補助腕部１５３ｂの接触部１５３ｂ３と突出部１５３ｃとの間の寸法が突出端子５３の断面の径又は幅寸法より小さい。そのため、主内側開口１５４ａ内に収容された突出端子５３が位置決め開口１５４ｃに相対的に移動すると、主腕部１５３ａの接触部１５３ａ３と補助腕部１５３ｂの接触部１５３ｂ３と突出部１５３ｃとが突出端子５３の側面部に当接してそれらの間隔が押広げられるので、主腕部１５３ａ及び補助腕部１５３ｂのばね性によって、主腕部１５３ａの接触部１５３ａ３と補助腕部１５３ｂの接触部１５３ｂ３と突出部１５３ｃとは、突出端子５３の側面部に押圧された状態になる。つまり、主腕部１５３ａの接触部１５３ａ３と補助腕部１５３ｂの接触部１５３ｂ３と突出部１５３ｃとが突出端子５３の側面部を弾性的に挟持する。
【００５４】
なお、主内側開口１５４ａの形状は、位置決め開口１５４ｃに近付くと、幅寸法が漸減するような形状である。すなわち、主腕部１５３ａのビーム部１５３ａ２の先端から接触部１５３ａ３に亘（わた）る範囲の内側縁は、傾斜したテーパ形状を備える。そのため、突出端子５３は、位置決め開口１５４ｃにスムーズに進入することができる。
【００５５】
また、瓢箪（ひょうたん）のような形状の挟持部１５７は、挟持部収容開口１５９の上下の周縁に接続された基部１５７ａを含み、左右対称な平面形状を備える左側部分と右側部分とに分かれる。そして、左側部分及び右側部分の各々は、上下の各基部１５７ａに接続された第１腕部１５７ｂ及び第２腕部１５７ｄ、並びに、第１腕部１５７ｂ及び第２腕部１５７ｄの先端を接続する凸部１５７ｃを備える。
【００５６】
さらに、挟持部収容開口１５９は、左側部分と右側部分との間の内側開口１５９ａ、並びに、左側部分及び右側部分の外側の外側開口１５９ｂを含んでいる。また、前記内側開口１５９ａは、左右の第１腕部１５７ｂの間の第１内側開口１５９ａ１と、左右の第２腕部１５７ｄの間の第２内側開口１５９ａ２とを含んでいる。前記第１内側開口１５９ａ１は、挟持部１５７が雄コネクタ１の突出端子５３と嵌合する際に、該突出端子５３が進入して収容される部分であり、前記第２内側開口１５９ａ２は、嵌合完了時に突出端子５３が位置する部分である。
【００５７】
そして、前記第１内側開口１５９ａ１及び第２内側開口１５９ａ２は、略円形の平面形状を備え、前記第１内側開口１５９ａ１の内径は突出端子５３の先端部の外径よりも大きく、第２内側開口１５９ａ２の内径は突出端子５３の先端部の外径よりも小さいことが望ましい。この場合、突出端子５３は第１内側開口１５９ａ１内にスムーズに進入することができるとともに、嵌合完了時には第２内側開口１５９ａ２から抜出ることがない。なお、記第１内側開口１５９ａ１と第２内側開口１５９ａ２との境界に対応する左右の凸部１５７ｃの間の部分の寸法は、突出端子５３の断面の径又は幅寸法より小さい。そのため、第１内側開口１５９ａ１内に収容された突出端子５３が第２内側開口１５９ａ２に相対的に移動する際に、左右の凸部１５７ｃの間隔は突出端子５３の側面部に当接して押広げられる。
【００５８】
なお、前記ベースフィルム１１５において、各受容端子１５３及び各挟持部１５７に対応する部位には、ベースフィルム１１５を厚さ方向に貫通する端子対応開口１１５ｃ及び挟持部対応開口１１５ｄが、それぞれ、形成されている。典型的には、前記端子対応開口１１５ｃ及び挟持部対応開口１１５ｄは、端子収容開口１５４及び挟持部収容開口１５９に対応する大きさの前後方向（図６における上下方向）に長い矩形の形状を備える。
【００５９】
また、前記枠体１１１は、導体パターン１５０の上に、カバーフィルム１１７及び枠補強層１１６の順に積層された層構造を備える平板状の部材である。前記カバーフィルム１１７は、略コ字状の表面形状を備える一対の絶縁性の薄板部材であり、例えば、ポリイミド等の樹脂から成るが、絶縁性を備えるものであれば、いかなる種類の材質であってもよい。また、前記枠補強層１１６は、略コ字状の表面形状を備える一対の薄板部材を備え、例えば、ステンレス鋼等の金属、ポリイミド等の樹脂から成るが、いかなる種類の材質であってもよく、導電性の材質であっても、絶縁性の材質であってもよい。
【００６０】
なお、前記枠補強層１１６は、図４に示されるように、第１枠補強層１１６ａと第２枠補強層１１６ｂとを積層して構成された部材であってもよいし、一体的に構成された単一の部材であってもよい。そして、縦枠部１１１ｂの係合凹部１５６ａに対応する部位には、カバーフィルム１１７及び枠補強層１１６が存在しない。つまり、前記係合凹部１５６ａの底部においては、補助金具１５６が、カバーフィルム１１７及び枠補強層１１６に覆われることなく、露出している。
【００６１】
次に、前記構成の雄コネクタ１と雌コネクタ１０１とを嵌合する動作について説明する。
【００６２】
図８は本発明の第１の実施の形態における第１コネクタと第２コネクタとの嵌合工程を示す図、図９は本発明の第１の実施の形態における第１コネクタと第２コネクタとの嵌合が完了した状態の三面図、図１０は本発明の第１の実施の形態における第１コネクタと第２コネクタとの嵌合が完了した状態の二面図である。なお、図８において、（ａ）〜（ｃ）は各工程を示す図であり、図９において、（ａ）は第２コネクタの嵌合面側から観た平面図、（ｂ）は正面図、（ｃ）は側面図であり、図１０において、（ａ）は図９（ａ）におけるＤ−Ｄ矢視断面図、（ｂ）は第２コネクタの実装面側から観た平面図である。
【００６３】
ここで、雄コネクタ１は、導体パターン５１のテール部５８が第１基板９１の表面（図８（ａ）における下側の面）に形成された図示されない接続パッドにはんだ付等によって接続されるとともに、補助金具５６の裏面の一部が第１基板９１の表面に形成された図示されない固定用パッドにはんだ付等によって接続されることにより、あらかじめ第１基板９１に表面実装されているものとする。また、雌コネクタ１０１は、雌導体１５１のテール部１５８が第２基板１９１の表面（図８（ａ）における上側の面）に形成された図示されない接続パッドにはんだ付等によって接続されるとともに、補助金具１５６の裏面の一部が第２基板１９１の表面に形成された図示されない固定用パッドにはんだ付等によって接続されることにより、あらかじめ第２基板１９１に表面実装されているものとする。
【００６４】
なお、通常、第１基板９１及び第２基板１９１は、雄コネクタ１及び雌コネクタ１０１よりもかなり大きいものであるが、図８においては、説明の都合上、雄コネクタ１及び雌コネクタ１０１よりわずかに大きい程度に描かれている。また、図９及び１０において、第１基板９１及び第２基板１９１は、説明の都合上、図示が省略されている。
【００６５】
オペレータは、雄コネクタ１の嵌合面と雌コネクタ１０１の嵌合面とを対向させた状態として、図８（ａ）において矢印Ｂで示されるように、雄コネクタ１を雌コネクタ１０１に対して相対的に下降させ、すなわち、嵌合方向に移動させ、雄コネクタ１の本体部１１における本体端部１１ｃを除く部分が雌コネクタ１０１の接続凹部１１４内に収容されるようにして、雄コネクタ１の嵌合面である表面と雌コネクタ１０１の嵌合面である表面とを対向させ、当接又は近接させる。
【００６６】
これにより、図８（ｂ）に示される状態になる。この場合、雄コネクタ１の左右の補助金具５６を含む本体端部１１ｃが雌コネクタ１０１の左右の係合凹部１５６ａ内に進入し、雄コネクタ１と雌コネクタ１０１との左右方向の位置決めが行われる。また、突出端子５３の各々が、対応する受容端子１５３の内側であって主腕部１５３ａの内側の主内側開口１５４ａ内、及び、挟持部１５７の内側であって第１腕部１５７ｂの間の第１内側開口１５９ａ１内に進入する。
【００６７】
続いて、オペレータは、図８（ｂ）において矢印Ｃで示されるように、雄コネクタ１を雌コネクタ１０１に対して相対的にロック方向にスライドさせる。すなわち、雄コネクタ１の表面と雌コネクタ１０１の表面とを当接又は近接させた状態で雄コネクタ１を雌コネクタ１０１に対して前方に相対的に前進させる。この場合、各突出端子５３が対応する受容端子１５３の内側の主内側開口１５４ａ及び挟持部１５７の内側の内側開口１５９ａ内に進入しているとともに、左右の補助金具５６が左右の係合凹部１５６ａ内に進入した状態でスライドしてガイドするので、雌コネクタ１０１に対する雄コネクタ１の姿勢が乱れることがない。
【００６８】
そして、図８（ｃ）、９及び１０に示されるように、雄コネクタ１と雌コネクタ１０１との嵌合が完了すると、各突出端子５３が対応する受容端子１５３の内側の位置決め開口１５４ｃ及び挟持部１５７の内側の第２内側開口１５９ａ２内に進入する。
【００６９】
これにより、受容端子１５３においては、主腕部１５３ａの接触部１５３ａ３と補助腕部１５３ｂの接触部１５３ｂ３と突出部１５３ｃとの間隔が突出端子５３の側面部に当接して押広げられる。そして、主腕部１５３ａ及び補助腕部１５３ｂのばね性によって、主腕部１５３ａの接触部１５３ａ３と補助腕部１５３ｂの接触部１５３ｂ３と突出部１５３ｃとは、突出端子５３の側面部に押圧された状態になる。つまり、主腕部１５３ａの接触部１５３ａ３と補助腕部１５３ｂの接触部１５３ｂ３と突出部１５３ｃとが突出端子５３の側面部を弾性的に挟持する。これにより、突出端子５３と対応する受容端子１５３とが確実に接触して導通する。
【００７０】
なお、突出端子５３は、位置決め開口１５４ｃ内に進入する際に、その側面部が突出部１５３ｃを乗越えることとなるので、反力を受ける。そして、該反力がクリック感としてオペレータの手指に伝達される。つまり、突出端子５３の側面部が突出部１５３ｃを乗越えることによってクリック感が発生する。
【００７１】
また、突出端子５３は、補助腕部１５３ｂのばね性によって、接触部１５３ｂ３を介して、雌コネクタ１０１の前後方向、すなわち、端子収容開口１５４の縦方向に付勢され、突出部１５３ｃ及び主腕部１５３ａの接触部１５３ａ３に押圧される。これにより、突出端子５３の雌コネクタ１０１の前後方向、すなわち、端子収容開口１５４の縦方向に対する位置決めが行われる。
【００７２】
さらに、突出端子５３は、主腕部１５３ａのビーム部１５３ａ２のばね性によって、接触部１５３ａ３を介して、雌コネクタ１０１の幅方向、すなわち、端子収容開口１５４の幅方向に付勢され、突出部１５３ｃ及びビーム部１５３ａ２と対向する端子収容開口１５４の周縁に押圧される。これにより、突出端子５３の雌コネクタ１０１の幅方向、すなわち、端子収容開口１５４の幅方向に対する位置決めが行われる。
【００７３】
このように、各突出端子５３は、対応する受容端子１５３によって、雌コネクタ１０１の縦方向及び幅方向に、確実に位置決めされる。
【００７４】
また、挟持部１５７の内側においては、第１内側開口１５９ａ１よりも小さい第２内側開口１５９ａ２内に突出端子５３が収容される。そして、該突出端子５３は、前記第１内側開口１５９ａ１から第２内側開口１５９ａ２に移動する際に、その側面部が左右の凸部１５７ｃに当接して該凸部１５７ｃを押広げるので、反力を受ける。そして、該反力がクリック感としてオペレータの手指に伝達される。つまり、突出端子５３の側面部が凸部１５７ｃを押広げることによってクリック感が発生する。なお、突出端子５３が他の部分よりも径の大きな先端部を備え、かつ、第２内側開口１５９ａ２の径が突出端子５３の先端部の径よりも小さい場合には、嵌合が完了すると、突出端子５３が第２内側開口１５９ａ２から抜出ることが不能となる。これにより、雄コネクタ１が雌コネクタ１０１に対して反嵌合方向（矢印Ｂと反対方向）に変位することが防止される。
【００７５】
なお、本実施の形態においては、挟持部１５７が雌コネクタ１０１の長手方向の両端及び中央部付近に合計４つ配設されている例について説明したが、挟持部１５７の数及び配置の態様については、適宜変更することができ、また、必要に応じて挟持部１５７を省略することもできる。
【００７６】
また、雄コネクタ１と雌コネクタ１０１との嵌合を解除する動作については、雄コネクタ１と雌コネクタ１０１とを嵌合させるための動作と逆の動作にすぎないので、説明を省略する。
【００７７】
このように、本実施の形態において、基板対基板コネクタは、第１基板９１の表面に実装される雄コネクタ１と、第２基板１９１の表面に実装され、雄コネクタ１と嵌合する雌コネクタ１０１とから成り、雄コネクタ１は、平板状の本体部１１、本体部１１の嵌合面に配設された導体パターン５１、及び、導体パターン５１の表面から突出する突出端子５３を含み、雌コネクタ１０１は、板状金属から形成され、突出端子５３を弾性的に挟持する受容端子１５３を含む平板状の部材であり、突出端子５３が受容端子１５３によって挟持されることにより突出端子５３と受容端子１５３との位置決めが行われる。
【００７８】
これにより、雄コネクタ１及び雌コネクタ１０１の高さ方向の寸法を小さくすることができるとともに、突出端子５３と受容端子１５３との位置決めが確実で接触を安定的に維持することができる。また、適切なクリック感を発生するので、雄コネクタ１と雌コネクタ１０１との嵌合完了を容易に知覚することができる。さらに、製造が容易で、構成が簡素でコストが低く、小型でありながら、信頼性を高めることができる。
【００７９】
そして、雄コネクタ１及び雌コネクタ１０１は、相互の嵌合側面同士を対向させた後、スライドさせることによって嵌合する。これにより、第１基板９１と第２基板１９１とを容易に、かつ、確実に接続することができる。
【００８０】
また、受容端子１５３は、板状金属から成る雌導体１５１をパターニングすることによって形成された主腕部１５３ａ、補助腕部１５３ｂ及び突出部１５３ｃを含み、主腕部１５３ａ及び補助腕部１５３ｂは、雌導体１５１における受容端子１５３の周囲の部分に接続されている基部１５３ａ１及び１５３ｂ１と、弾性的に変位する接触部１５３ａ３及び１５３ｂ３と、接触部１５３ａ３及び１５３ｂ３と基部１５３ａ１及び１５３ｂ１とを連結するビーム部１５３ａ２及び１５３ｂ２とを含み、主腕部１５３ａ及び補助腕部１５３ｂの接触部１５３ａ３及び１５３ｂ３と突出部１５３ｃとの間隔は、突出端子５３の断面より小さく、受容端子１５３が突出端子５３と係合すると、主腕部１５３ａ及び補助腕部１５３ｂの接触部１５３ａ３及び１５３ｂ３と突出部１５３ｃとが突出端子５３の側面部を弾性的に挟持する。これにより、突出端子５３と受容端子１５３との接触状態が確実に維持され、突出端子５３と受容端子１５３との導通状態が安定する。また、突出端子５３の、雌コネクタ１０１の前後方向及び幅方向への、受容端子１５３に対する位置決めが確実に行われるとともに、クリック感が発生する。
【００８１】
さらに、主腕部１５３ａの内側に形成された主内側開口１５４ａは、突出端子５３の断面より大きく、突出端子５３は、主内側開口１５４ａ内に進入した後、主腕部１５３ａ及び補助腕部１５３ｂの接触部１５３ａ３及び１５３ｂ３と突出部１５３ｃとの間に移動して挟持される。これにより、突出端子５３が主内側開口１５４ａ内に容易に進入することができ、雄コネクタ１と雌コネクタ１０１との嵌合作業を容易に行うことができる。
【００８２】
さらに、雌コネクタ１０１は、突出端子５３が受容端子１５３によって挟持される際に発生するクリック感を補完する挟持部１５７を更に含み、挟持部１５７は、板状金属から形成され、互いに対向する一対の第１腕部１５７ｂ、第２腕部１５７ｄ、並びに、第１腕部１５７ｂ及び第２腕部１５７ｄの先端を接続する凸部１５７ｃを含み、第１腕部１５７ｂ同士の間に進入した突出端子５３が、凸部１５７ｃ同士の間を通過して第２腕部１５７ｄ同士の間に移動するときにクリック感が発生する。これにより、クリック感が補完されるので、オペレータは、突出端子５３と受容端子１５３とが接触したことをより確実に知覚することができる。
【００８３】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００８４】
図１１は本発明の第２の実施の形態における第１コネクタの三面図、図１２は本発明の第２の実施の形態における第２コネクタの三面図、図１３は本発明の第２の実施の形態における第１コネクタと第２コネクタとの嵌合工程での二面図、図１４は本発明の第２の実施の形態における第１コネクタと第２コネクタとの嵌合工程での要部拡大図である。なお、図１１及び１２において、（ａ）は上面図、（ｂ）は正面図、（ｃ）は側面図であり、図１３において、（ａ）は第２コネクタの嵌合面側から観た平面図、（ｂ）は（ａ）におけるＥ−Ｅ矢視断面図であり、図１４において、（ａ）は図１３（ｂ）におけるＦ部拡大図、（ｂ）は（ａ）に対応する斜視図、（ｃ）は第１コネクタの本体部が第２コネクタの接続凹部に収容された状態の（ａ）に対応する図である。
【００８５】
本実施の形態における雄コネクタ１では、図１１に示されるように、本体部１１の本体端部１１ｃは、切欠部１１ｄを含んでおらず、図１４に示されるように、雄嵌合ロック部としての庇部１１ｅを含んでいる。該庇部１１ｅは、本体端部１１ｃの外側端縁から外方に延出する部分であって、具体的には、補助金具５６の外側端縁を、ベースフィルム端部１５ｃ及び補強層端部１６ｃの外側端縁よりも外方に突出させることによって形成されている。なお、前記庇部１１ｅの嵌合面側における外側端縁には、図１４に示されるように、テーパ面又は曲面が形成されることが望ましい。
【００８６】
なお、前記雄コネクタ１のその他の点の構成については、前記第１の実施の形態と同様であるので、その説明を省略する。
【００８７】
また、本実施の形態における雌コネクタ１０１では、図１２に示されるように、枠体１１１の縦枠部１１１ｂは、係合凹部１５６ａを含んでおらず、図１４に示されるように、雌嵌合ロック部としての庇部１１１ｅを含んでいる。該庇部１１１ｅは、縦枠部１１１ｂの内側端縁から内方に延出する部分であって、具体的には、枠補強層１１６の嵌合面側における内側端縁を、内方に突出させることによって形成されている。なお、前記庇部１１１ｅの実装面側における内側端縁には、図１４に示されるように、テーパ面又は曲面が形成されることが望ましい。
【００８８】
そして、雌コネクタ１０１の左右の縦枠部１１１ｂにおける庇部１１１ｅの内側端縁同士の距離は、雄コネクタ１の左右の本体端部１１ｃにおける庇部１１ｅの外側端縁同士の距離よりもわずかに短くなっている。これにより、雄コネクタ１と雌コネクタ１０１とを嵌合する際には、雌コネクタ１０１の左右の縦枠部１１１ｂにおける庇部１１１ｅの内側端縁と、雄コネクタ１の左右の本体端部１１ｃにおける庇部１１ｅの外側端縁とが当接する。
【００８９】
また、前記第１の実施の形態では、雄コネクタ１の本体部１１の本体端部１１ｃを除く部分が雌コネクタ１０１の接続凹部１１４に収容されるのに対し、本実施の形態では、本体端部１１ｃを含む本体部１１のすべてが接続凹部１１４に収容される。そのため、該接続凹部１１４は、前記第１の実施の形態よりも大きくなっている。
【００９０】
なお、前記雌コネクタ１０１のその他の点の構成については、前記第１の実施の形態と同様であるので、その説明を省略する。
【００９１】
そして、本実施の形態において、雄コネクタ１と雌コネクタ１０１とを嵌合する際、オペレータが、雄コネクタ１の嵌合面と雌コネクタ１０１の嵌合面とを対向させた状態として、雄コネクタ１を雌コネクタ１０１に対して相対的に下降させると、図１３に示されるようになる。つまり、前述のように、雌コネクタ１０１の左右の縦枠部１１１ｂにおける庇部１１１ｅの内側端縁と、雄コネクタ１の左右の本体端部１１ｃにおける庇部１１ｅの外側端縁とが、図１４（ａ）及び（ｂ）に示されるように、対向する。
【００９２】
続いて、オペレータが、雄コネクタ１を雌コネクタ１０１に対して相対的に更に下降させると、図１４（ｃ）に示されるように、雄コネクタ１の本体端部１１ｃを含む本体部１１が雌コネクタ１０１の接続凹部１１４に収容される。
【００９３】
この際に、雄コネクタ１の左右の本体端部１１ｃにおける庇部１１ｅの外側端縁は、雌コネクタ１０１の左右の縦枠部１１１ｂにおける庇部１１１ｅの内側端縁と当接し、これによって弾性的に変形させられ、前記庇部１１１ｅの内側端縁を乗越えて該庇部１１１ｅの内側端縁の下方に移動する。そして、前記庇部１１ｅの外側端縁が前記庇部１１１ｅの内側端縁を乗越える際に受ける反力がクリック感としてオペレータの手指に伝達される。つまり、前記庇部１１ｅの外側端縁が前記庇部１１１ｅの内側端縁を乗越えることによってクリック感が発生する。また、庇部１１ｅの外側端縁と庇部１１１ｅの内側端縁とが係合することによって、雄コネクタ１が雌コネクタ１０１に対して反嵌合方向（矢印Ｂと反対方向）に変位することが防止される。
【００９４】
そして、本体部１１が接続凹部１１４に収容されることによって、雄コネクタ１の嵌合面である表面と雌コネクタ１０１の嵌合面である表面とが当接又は近接し、突出端子５３の各々が、対応する受容端子１５３の内側であって主腕部１５３ａの内側の主内側開口１５４ａ内、及び、挟持部１５７の内側であって第１腕部１５７ｂの間の第１内側開口１５９ａ１内に進入する。
【００９５】
続いて、オペレータは、雄コネクタ１を雌コネクタ１０１に対して相対的にロック方向にスライドさせるが、これ以降の動作については、前記第１の実施の形態と同様であるので、その説明を省略する。
【００９６】
このように、本実施の形態において、雄コネクタ１の本体部１１は、その長手方向両端の本体端部１１ｃから外方に延出する庇部１１ｅを含み、雌コネクタ１０１は、雄コネクタ１の本体部１１を収容する接続凹部１１４と、接続凹部１１４の周囲を確定する枠体１１１とを含み、枠体１１１は、その長手方向両端に位置する縦枠部１１１ｂの内側端縁から内方に延出する庇部１１１ｅを含み、雄コネクタ１の本体部１１が雌コネクタ１０１の接続凹部１１４に収容されると、本体部１１の庇部１１ｅと枠体１１１の庇部１１１ｅとが係合する。これにより、雄コネクタ１が雌コネクタ１０１に対して反嵌合方向に変位することが防止されるので、雄コネクタ１と雌コネクタ１０１との嵌合状態を確実に維持することができる。また、雄コネクタ１の本体部１１が雌コネクタ１０１の接続凹部１１４に収容される際にクリック感が発生するので、オペレータは、雄コネクタ１の本体部１１が雌コネクタ１０１の接続凹部１１４に収容されたことを確実に知覚することができる。
【００９７】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００９８】
図１５は本発明の第３の実施の形態における第２コネクタの三面図、図１６は本発明の第３の実施の形態における第１コネクタと第２コネクタとの嵌合工程での二面図、図１７は本発明の第３の実施の形態における第１コネクタと第２コネクタとの嵌合工程での要部拡大図である。なお、図１５において、（ａ）は上面図、（ｂ）は正面図、（ｃ）は側面図であり、図１６において、（ａ）は第２コネクタの嵌合面側から観た平面図、（ｂ）は（ａ）におけるＧ−Ｇ矢視断面図であり、図１７において、（ａ）は図１６（ｂ）におけるＨ部拡大図、（ｂ）は（ａ）に対応する斜視図、（ｃ）は第１コネクタの本体部が第２コネクタの接続凹部に収容された状態の（ａ）に対応する図である。
【００９９】
本実施の形態における雄コネクタ１の構成については、前記第２の実施の形態と同様であるので、その説明を省略する。
【０１００】
また、本実施の形態における雌コネクタ１０１では、図１５に示されるように、枠体１１１の縦枠部１１１ｂは、係合凹部１５６ａも庇部１１１ｅも含んでおらず、ばね部１１１ｆを含んでいる。該ばね部１１１ｆは、雌嵌合ロック部として機能する部分であって、具体的には、枠補強層１１６の実装面側の部分を薄肉とし、２つのＳ字を連結したような平面形状とすることによって形成されている。なお、本実施の形態における枠補強層１１６は、金属等の弾性を備える材質から成ることが望ましい。
【０１０１】
そして、雌コネクタ１０１の左右の縦枠部１１１ｂにおけるばね部１１１ｆの内側端縁同士の距離は、雄コネクタ１の左右の本体端部１１ｃにおける庇部１１ｅの外側端縁同士の距離よりもわずかに短くなっている。これにより、雄コネクタ１と雌コネクタ１０１とを嵌合する際には、雌コネクタ１０１の左右の縦枠部１１１ｂにおけるばね部１１１ｆの内側端縁と、雄コネクタ１の左右の本体端部１１ｃにおける庇部１１ｅの外側端縁とが当接する。
【０１０２】
なお、前記雌コネクタ１０１のその他の点の構成については、前記第２の実施の形態と同様であるので、その説明を省略する。
【０１０３】
そして、本実施の形態において、雄コネクタ１と雌コネクタ１０１とを嵌合する際、オペレータが、雄コネクタ１の嵌合面と雌コネクタ１０１の嵌合面とを対向させた状態として、雄コネクタ１を雌コネクタ１０１に対して相対的に下降させると、図１６に示されるようになる。つまり、前述のように、雌コネクタ１０１の左右の縦枠部１１１ｂにおけるばね部１１１ｆの内側端縁と、雄コネクタ１の左右の本体端部１１ｃにおける庇部１１ｅの外側端縁とが、図１７（ａ）及び（ｂ）に示されるように、対向する。
【０１０４】
続いて、オペレータが、雄コネクタ１を雌コネクタ１０１に対して相対的に更に下降させると、図１７（ｃ）に示されるように、雄コネクタ１の本体端部１１ｃを含む本体部１１が雌コネクタ１０１の接続凹部１１４に収容される。
【０１０５】
この際に、雌コネクタ１０１の左右の縦枠部１１１ｂにおけるばね部１１１ｆの内側端縁が雄コネクタ１の左右の本体端部１１ｃにおける庇部１１ｅの外側端縁と当接し、これにより、前記ばね部１１１ｆが弾性的に変形し、その内側端縁は、外方に弾性的に変位する。そのため、前記庇部１１ｅの外側端縁は、前記ばね部１１１ｆの内側端縁を乗越えて該ばね部１１１ｆの内側端縁の下方に移動することができる。そして、前記庇部１１ｅの外側端縁が前記ばね部１１１ｆの内側端縁を乗越える際に受ける反力がクリック感としてオペレータの手指に伝達される。つまり、前記庇部１１ｅの外側端縁が前記ばね部１１１ｆの内側端縁を乗越えることによってクリック感が発生する。また、庇部１１ｅの外側端縁とばね部１１１ｆの内側端縁とが係合することによって、雄コネクタ１が雌コネクタ１０１に対して反嵌合方向（矢印Ｂと反対方向）に変位することが防止される。
【０１０６】
さらに、前記ばね部１１１ｆが弾性的に元の形状に復帰し、その内側端縁は、内方に弾性的に変位し、雄コネクタ１の左右の本体端部１１ｃにおけるベースフィルム１５及び補強層１６の外側端縁と当接して押圧する。これにより、雄コネクタ１の本体部１１が、雌コネクタ１０１の左右のばね部１１１ｆによって両側から弾性的に挟持された状態となるので、雄コネクタ１と雌コネクタ１０１との長手方向に関する位置決めが行われる。
【０１０７】
なお、本実施の形態では、ばね部１１１ｆについては２つのＳ字を連結したような平面形状とすることにより形成したが、弾性を有するものであれば、どのような形状でもよい。
【０１０８】
そして、本体部１１が接続凹部１１４に収容されることによって、雄コネクタ１の嵌合面である表面と雌コネクタ１０１の嵌合面である表面とが当接又は近接し、突出端子５３の各々が、対応する受容端子１５３の内側であって主腕部１５３ａの内側の主内側開口１５４ａ内、及び、挟持部１５７の内側であって第１腕部１５７ｂの間の第１内側開口１５９ａ１内に進入する。
【０１０９】
続いて、オペレータは、雄コネクタ１を雌コネクタ１０１に対して相対的にロック方向にスライドさせるが、これ以降の動作については、前記第１の実施の形態と同様であるので、その説明を省略する。
【０１１０】
このように、本実施の形態において、雄コネクタ１の本体部１１は、その長手方向両端の本体端部１１ｃから外方に延出する庇部１１ｅを含み、雌コネクタ１０１は、雄コネクタ１の本体部１１を収容する接続凹部１１４と、接続凹部１１４の周囲を確定する枠体１１１とを含み、枠体１１１は、その長手方向両端に位置する縦枠部１１１ｂに形成されたばね部１１１ｆを含み、雄コネクタ１の本体部１１が雌コネクタ１０１の接続凹部１１４に収容されると、本体部１１の庇部１１ｅと枠体１１１のばね部１１１ｆとが係合する。これにより、雄コネクタ１が雌コネクタ１０１に対して反嵌合方向に変位することが防止されるので、雄コネクタ１と雌コネクタ１０１との嵌合状態を確実に維持することができる。また、雄コネクタ１の本体部１１が、雌コネクタ１０１の左右のばね部１１１ｆによって両側から弾性的に挟持された状態となるので、雄コネクタ１と雌コネクタ１０１との長手方向に関する位置決めが行われる。さらに、雄コネクタ１の本体部１１が雌コネクタ１０１の接続凹部１１４に収容される際にクリック感が発生するので、オペレータは、雄コネクタ１の本体部１１が雌コネクタ１０１の接続凹部１１４に収容されたことを確実に知覚することができる。
【０１１１】
なお、本発明は前記実施の形態に限定されるものではなく、本発明の趣旨に基づいて種々変形させることが可能であり、それらを本発明の範囲から排除するものではない。
【産業上の利用可能性】
【０１１２】
本発明は、基板対基板コネクタに適用することができる。
【符号の説明】
【０１１３】
１    雄コネクタ
１１    本体部
１１ｃ    本体端部
１１ｄ、１５ｄ、１６ｄ    切欠部
１１ｅ、１１１ｅ    庇部
１５、１１５    ベースフィルム
１５ａ、１１５ａ    凹部
１５ｂ、１１５ｂ、１５７ｃ    凸部
１５ｃ    ベースフィルム端部
１６、１１８    補強層
１６ｃ    補強層端部
５１、１５０    導体パターン
５２、１５０ａ    パターン分離空間
５３    突出端子
５６、１５６    補助金具
５８、１５８、８６２、９６２    テール部
９１    第１基板
１０１    雌コネクタ
１１１    枠体
１１１ａ    横枠部
１１１ｂ    縦枠部
１１１ｆ    ばね部
１１４    接続凹部
１１４ａ    底部
１１５ｃ    端子対応開口
１１５ｄ    挟持部対応開口
１１５ｅ    幅広凸部
１１６    枠補強層
１１６ａ    第１枠補強層
１１６ｂ    第２枠補強層
１１７    カバーフィルム
１５１    雌導体
１５２    補助導体
１５３    受容端子
１５３ａ    主腕部
１５３ａ１、１５３ｂ１、１５７ａ    基部
１５３ａ２、１５３ｂ２    ビーム部
１５３ａ３、１５３ｂ３、８６５、９６５    接触部
１５３ｂ    補助腕部
１５３ｃ    突出部
１５４    端子収容開口
１５４ａ    主内側開口
１５４ｂ、１５９ｂ    外側開口
１５４ｃ    位置決め開口
１５４ｄ    補助内側開口
１５６ａ    係合凹部
１５７    挟持部
１５７ｂ    第１腕部
１５７ｄ    第２腕部
１５９    挟持部収容開口
１５９ａ    内側開口
１５９ａ１    第１内側開口
１５９ａ２    第２内側開口
１９１    第２基板
８１１    第１ハウジング
８１２    凹溝部
８６１    第１端子
８９１    第１回路基板
９１１    第２ハウジング
９６１    第２端子
９９１    第２回路基板
【図１】
0005728279.tif 000002
【図２】
0005728279.tif 000003
【図３】
0005728279.tif 000004
【図４】
0005728279.tif 000005
【図５】
0005728279.tif 000006
【図６】
0005728279.tif 000007
【図７】
0005728279.tif 000008
【図８】
0005728279.tif 000009
【図９】
0005728279.tif 000010
【図１０】
0005728279.tif 000011
【図１１】
0005728279.tif 000012
【図１２】
0005728279.tif 000013
【図１３】
0005728279.tif 000014
【図１４】
0005728279.tif 000015
【図１５】
0005728279.tif 000016
【図１６】
0005728279.tif 000017
【図１７】
0005728279.tif 000018
【図１８】
0005728279.tif 000019